(57)【要約】  伸張耐性織布、装置、および方法は、ニット構造内の、選択された隣接する畝のニットループ間に、及び部分的に所定の段における該隣接する畝のうちの１つの畝中のループの周囲に配置された、伸張耐性糸を含むことができる。この方法では、織布は、織布の長さに沿って、畝様方向の伸張に対して耐性であるようにすることができる。伸張耐性織布は、メッシュ織布であることができる。メッシュ織布において、織布内の細孔のサイズと形状は、織布が畝様の方向に引っ張られる場合に維持することができる。伸張耐性糸は、織布内の他の糸の個々の直径よりも大きい直径を有することができる。伸張耐性糸は、例えば、ポリプロピレンまたはポリエステルのモノフィラメント糸のようなモノフィラメント糸であることができる。
2011517473.tif 000002
【特許請求の範囲】
【請求項１】
織布のニット構造内の、選択された隣接する畝のニットループ間に、及び部分的に、所定の段における前記隣接する畝のうちの１つの畝中のループの周囲に配置された伸張耐性糸を含み、織布の長さに沿った畝様方向の伸張に対して耐性であるようにされている、伸張耐性織布。
【請求項２】
前記織布はメッシュ織布をさらに含む、請求項１に記載の織布。 
【請求項３】
前記メッシュ織布内の細孔のサイズ及び形状は、織布が畝様の方向に引っ張られる場合に維持される、請求項２に記載の織布。
【請求項４】
前記メッシュ織布は、ラッセルニットメッシュ織布を含む、請求項２に記載の織布。
【請求項５】
前記各畝は、織布の構造の各段において、第１のガイドバーからループに編まれた表糸と、第２のガイドバーから表糸ループの周囲に編まれた裏糸を含む、請求項４に記載の織布。
【請求項６】
前記伸張耐性糸は、部分的に、所定の段における前記隣接する畝のうちの１つの表糸ループの周囲から、第３のガイドバーからの織布構造に配置されている、請求項５に記載の織布。
【請求項７】
前記所定の段は、織布の長さに沿った６番目毎の段を含む、請求項１に記載の織布。
【請求項８】
前記伸張耐性糸は、各畝の間に配置される、請求項１に記載の織布。
【請求項９】
前記伸張耐性糸は、３番目毎の畝の間に配置される、請求項１に記載の織布。
【請求項１０】
前記伸張耐性糸は、織布内の他の糸の個々の直径よりも大きな直径を有する、請求項１に記載の織布。
【請求項１１】
前記伸張耐性糸はモノフィラメント糸を含む、請求項１に記載の織布。
【請求項１２】
前記モノフィラメント糸は、ポリプロピレンまたはポリエステルを含む、請求項１１に記載の織布。
【請求項１３】
前記モノフィラメント糸は、２ミル〜１２ミルの範囲内の直径を有する、請求項１１に記載の織布。
【請求項１４】
前記メッシュ織布は、２ミル〜１２ミルの直径を有する単一のモノフィラメント糸を含み、かつ前記メッシュ織布は、５ポンドの引張力に対して、約３０％の伸張率を有する、請求項２に記載の織布。
【請求項１５】
前記メッシュ織布は、それぞれが２ミル〜１２ミルの直径を有する２つのモノフィラメント糸を含み、かつ前記メッシュ織布は、５ポンドの引張力に対して約１７％の伸張率を有する、請求項２に記載の織布。
【請求項１６】
織布のニット構造内の、選択された隣接する畝のニットループ間の、及び部分的に、所定の段における前記隣接する畝のうちの１つの畝中のループの周囲に配置された伸張耐性糸を含み、織布の長さに沿った畝様方向の伸張に対して耐性であるようにされている、伸張耐性織布を含む装置。
【請求項１７】
前記織布はメッシュ織布をさらに含む、請求項１６の装置。
【請求項１８】
前記伸張耐性糸は、前記織布内の他の糸の個々の直径よりも大きい直径を有する、請求項１６の装置。
【請求項１９】
前記装置は埋め込み型医療機器をさらに含む、請求項１６の装置。
【請求項２０】
前記埋め込み型医療機器は臓器支持装置を含む、請求項１９に記載の装置。
【請求項２１】
選択された隣接する畝内のニットループ間に伸張耐性糸を配置することと、
部分的に所定の段における隣接する畝のうちの１つの畝中のループの周囲に伸張耐性糸を配置することによって、織布の長さに沿って畝様方向の伸張に対して耐性であるようにされている伸張耐性織布を作成すること
を含む、方法。
【請求項２２】
前記伸張耐性織布を作成することは、メッシュ織布を作成することをさらに含む、請求項２１の方法。
【請求項２３】
前記伸張耐性織布を作成することは、
ラッセル編機上で、第１のガイドバーから表糸を、各畝におけるループに編むことと、
第２のガイドバーから裏糸を、前記織布の各畝中の表糸ループの周囲に編むことと、
第３のガイドバーから伸張耐性糸を、部分的に、所定の段における前記隣接する畝のうちの１つの畝中の表糸ループの周囲に配置すること
をさらに含む、請求項２２に記載の方法。
【請求項２４】
前記所定の段は、織布の長さに沿った６番目毎の段を含む、請求項２１に記載の方法。
【請求項２５】
前記伸張耐性糸はモノフィラメント糸を含む、請求項２１に記載の方法。
【発明の詳細な説明】
【技術分野】
【０００１】
関連出願との相互参照
本出願は、その全体が参照により本明細書に組み込まれる、２００８年３月１３日に出願した米国仮特許出願第６１／０３６２３９号の利益を主張する。
【０００２】
本発明は、伸張耐性織布および伸張耐性織布を含む装置に関する。このような伸張耐性織布および装置は、医療用途に有用であり得る。
【背景技術】
【０００３】
編まれたメッシュ織布は、多くの場合、織布内のループ構造、または織布デザイン（ｆａｂｒｉｃ  ｄｅｓｉｇｎ）中の開放メッシュ、すなわち細孔の性質により、本質的に高い伸張特性を有している。例えば、２バー・メッシュ構造を有する、いくつかの従来のメッシュ織布は、５ポンドの引張力で約６４％の伸張率を有することができる。このような高度な伸張性は、望まれているより多くのメッシュ織布の長手方向（ｌｏｎｇｉｔｕｄｉｎａｌ ｆａｓｈｉｏｎ）の伸張、または拡がりを引き起す可能性がある。例えば、高伸張性メッシュが、所望の位置の隣接または近傍に、物体を含み、かつ保持するように使用されている場合、物体の重量は、物体が所望の位置にもはや隣接せず、または近接しないところまで、メッシュの伸張を引き起す可能性がある。
【０００４】
メッシュ織布中の伸張を減少させるための、様々な方法が試みられている。いくつかの従来の方法では、特定の網目模様（ｍｅｓｈ  ｄｅｓｉｇｎ）の伸張能力は、例えば、メッシュの開口部の大きさを減少させることなどの、網目模様自体を変更することで、減少することができる。他の従来の方法では、メッシュ織布の伸張能力は、低弾性を有する糸で織布を編むことによって減少することができる。これらのような方法は欠点がある。例えば、メッシュの開口部のサイズを小さくすることは、より大きくて通気性のあるメッシュの開口部を有する必要がある、本来の目的に対する織布の有用性を変更することがある。低弾性を有する糸でできたメッシュ織布を編むことは、メッシュの開口部のサイズを小さくし、そうでないとしても、織布のパフォーマンス特性の望ましくない変更を起こし得る。また、編まれたメッシュ織布において、より大きく、および／または低い弾性の糸を使用することは、望ましくない密度を織布にもたらすだけではなく、製作コストの増大をもたらし得る。
【０００５】
したがって、網目模様における開口部の本来の姿を維持し、メッシュ織布のパフォーマンス特性を維持する、減じられた伸張率を有する、メッシュ織布が求められている。
【図面の簡単な説明】
【０００６】
【図１】本発明の態様における、減じられた伸張率を有するメッシュ織布の図である。
【図２】本発明の態様における、伸張耐性メッシュ織布の織方図である。
【発明を実施するための形態】
【０００７】
本発明のいくつかの態様は、伸張耐性織布、伸張耐性織布を含む装置、および伸張耐性織布の製造方法を含むことができる。いくつかの態様において、伸張耐性織布は、織布のニット構造内の選択された隣接する畝（ｗａｌｅ）間のニットループ間に、及び部分的に、所定の段における該隣接する畝のうちの１つの畝中のループの周囲に配置（ｌａｉｄ  ｉｎ）された、伸張耐性糸を含むことができる。この方法では、織布は、織布の長さに沿った畝様（ｗａｌｅｗｉｓｅ）方向の伸張に対して耐性であるようにすることができる。いくつかの態様において、伸張耐性織布は、メッシュ織布を含むことができる。メッシュ織布の態様において、メッシュ織布中の細孔のサイズおよび形状は、畝様の方向に織布を引っ張る場合、維持することができる。
【０００８】
特定の態様において、メッシュ織布は、ラッセルニットメッシュ織布のように作成することができる。このようなメッシュ織布において、各畝は、それぞれの織布構造の段において、第１のガイドバー（ｇｕｉｄｅ  ｂａｒ）からループに編まれた表糸と、第２のガイドバーから表糸ループの周囲に編まれた裏糸とを含むことができる。伸張耐性糸は、部分的に、所定の段における該隣接する畝のうちの１つの畝中の表面糸のループの周囲の第３のガイドバーから、織布構造内に配置することができる。
【０００９】
いくつかの態様において、伸張耐性織布は、織布の長さ方向に沿って、６番目毎の段に１つの隣接する畝中のループに、部分的に配置することができる。いくつかの態様において、伸張耐性糸は、各畝の間に配置することができる。 他の態様において、伸張耐性糸は、３番目毎の畝の間に配置することができる。
【００１０】
いくつかの態様において、伸張耐性糸は、織布内の他の糸の個々の直径よりも大きい直径を有することができる。特定の態様において、伸張耐性糸はモノフィラメント糸を含むことができる。特定の態様において、モノフィラメント糸は、ポリプロピレンまたはポリエステルを含むことができる。モノフィラメント糸は、２ミル（ｍｉｌ．）〜１２ミルの範囲内の直径を有することができる。
【００１１】
いくつかの態様において、本発明は、織布のニット構造の、選択された隣接する畝のニットループの間に、及び部分的に、所定の段におけるの該隣接する畝のうち１つの畝中のループの周囲に配置された伸張耐性糸を含む伸張耐性織布を含む装置を含むことができる。 このような装置では、織布は、織布の長さに沿った畝様方向の伸張に対して耐性であるようにされている。特定の態様において、装置の織布はメッシュ織布とすることができる。特定の態様においては、装置中の伸張耐性糸は、装置織布内の他の糸の個々の直径よりも大きい直径を有することができる。装置の特定の態様は、例えば臓器支持装置などの、埋め込み型医療機器を含むことができる。
【００１２】
いくつかの態様において、本発明は、織布の長さに沿った畝用方向の伸張に対して耐性であるようにされている伸張耐性織布を作成することを含む方法を含むことができる。このような作成方法は、選択された隣接する畝中のニットループ間に伸張耐性糸を配置すること、及び部分的に、所定の段における該隣接する畝のうちの一つの畝中のループの周囲に伸張耐性糸を配置すること、を含むことができる。特定の態様において、このような方法で作成された伸張耐性織布は、メッシュ織布を含むことができる。 
【００１３】
特定の態様において、伸張耐性織布を作成する方法は、第１のガイドバーからの表糸を、各畝におけるループに編むことをさらに含むことができる。裏糸は、織布の各段の表糸ループの周囲の、第２のガイドバーから編むことができる。伸張耐性糸は、部分的に所定の段における該隣接する畝のうちの１つの畝中の表糸ループの周囲の、第３のガイドバー内に配置することができる。特定の態様において、伸張耐性糸は、織布の長さに沿った６番目毎の段に配置することができる。方法の特定の態様では、伸張耐性糸はモノフィラメント糸を含むことができる。
【００１４】
伸張耐性織布、装置、および／または方法の特徴は、１つまたは複数の本発明の態様において、単独でまたは組み合わせて、達成することができる。伸張耐性織布、装置、および／または方法の多くの異なる態様が可能であることは、当業者によって認識される。その他の用途、利点、および本発明の態様の特徴は、ここでの詳細な説明に記載の例示的な態様に記載されており、そして以下の実施例により、当業者にとってより明らかになるであろう。 
【００１５】
本発明のいくつかの態様により、伸張耐性織布および伸張耐性織布を含む装置を提供することができる。図１と２は、このような伸張耐性織布１０の態様を例示している。図１は、特定のサイズ（比較的大きなサイズ）の孔１２と、減じられた伸張率を有するメッシュ織布１１の態様を示す。図２は、伸張耐性メッシュ織布の織方図１３の態様を示す。このような態様において、メッシュ織布１１は、メッシュ織布１１がその使用目的のために機能することができるように、特性を維持することができる。このような特性は、例えば、メッシュ織布１１の使用中に比較的変形しない、メッシュの開口部のサイズおよび／または形状、または細孔１２を含むことができる。メッシュ織布１１のこのような態様は、伸張耐性糸２０を含む織布構造３１を含むことができる。伸張耐性糸２０は、メッシュ設計の本来の特性を維持しながら、メッシュ織布１１の伸張を制限することができる、引張機構（ｔｅｎｓｉｏｎｉｎｇ  ｍｅｃｈａｎｉｓｍ）の役割をすることができる。メッシュ織布の設計の本来の特性を維持することは、とりわけ、メッシュ織布１１内の孔１２のサイズと形状を維持することを指す。特定の態様において、伸張耐性糸２０は、織布１０の縦編み中に、ニットループ３０の間に「配置（ｌａｉｄ  ｉｎ）」することができる。 
【００１６】
図２中の織方図１３に示すように、縦編みメッシュ構造３１は、複数の畝３２を含むことができ、各畝３２は、織布の長さ３３に沿った、連続的な段３４における１つの針の操作によって形成される、一連のループ３０を有する。段３４は、ループ３０の行、または織布１０の幅３５に亘るステッチとして定義される。図２中の織方図１３の態様は、３バー織布を示す。ガイドバーは、一連の糸ガイド（ｙａｒｎ  ｇｕｉｄｅ）を保持している、縦編み機の幅に亘るバーとして定義される。各糸ガイド、または小穴には、１つまたは複数の糸を通すことができる。ガイドバーの動きは、ニット針に縦糸を運び、その後糸を針の周りに巻きつけることができる。特定のガイドバー内の小穴中の各糸は、同じ動きをする。縦編み機、及び縦編み織布は、織布を編むのに必要な編機内のガイドバーの数で示すことができ、例えば、３バー・メッシュは、３つのガイドバーを使用するニットである。 
【００１７】
本発明の伸張耐性織布１０のいくつかの態様は、様々な様式や型の織布ニットを含むことができる。例えば、このような織布１０のいくつかの態様は、ラッセルニットであることができ、他には、トリコットニットであることができ、さらに他には様々な他の方法で編まれたものであることことができる。図２に例示するラッセルニットメッシュ織布１１の態様では、第１のガイドバーは、糸を織布１１の前面に編まれるように運ぶ。第１のガイドバーは、「固体」のスレッド（ｔｈｒｅａｄｉｎｇ）を含む。つまり、第１のガイドバー内の各小穴は、表糸４０を運ぶ。この方法では、ニット織布１１内の各畝３２は、表糸４０を含むことができる。第２のガイドバーは、糸を織布１１の裏面に編むように運ぶ。第２のガイドバーは、「固体」のスレッドを含むため、第２のガイドバー内の各小穴は、裏糸４１を運ぶ。その結果、ニット織布１１の各畝３２は、裏糸４１を含むことができる。第３のガイドバーは、伸張耐性糸２０を、織布構造内に「配置（ｌａｉｄ  ｉｎ）」するように運ぶ。第３のガイドバーは、「１イン、１アウト（１−ｉｎ，１−ｏｕｔ）」のスレッド、または一つ飛ばしの（または半ゲージの）スレッドを含むため、第３のガイドバー内の一つおきの小穴が、伸張耐性糸２０を運ぶ。この方法では、伸張耐性糸２０を、ニットループ３０とメッシュ織布１１内の一つ飛ばしの畝３２との間に「配置」することができる。
【００１８】
いくつかの態様において、伸張耐性糸２０は、織布構造内に「配置」することができる。「配置」された織布において、編まれた、または重複した（縦編み）糸４２の基本構造は、同じニットサイクル中で、該構造中に組み込まれ、または「配置」される他の編まれていない糸４３を、所定の位置に保持する。針のフックに入らないので、内部糸（ｉｎｌａｉｄ  ｙａｒｎ）４３はニットループ３０には形成されないが、基本の織布構造は、例えば、内部糸４３を保持するために、トリコットラップステッチ、または「１−１」（１ａｎｄ１）ステッチなどの、様々なニットステッチを利用することができる。
【００１９】
図２に示すラッセルニット織方図１３において、強調表示された領域は、メッシュ織布のステッチパターン１３のいずれかの一つの繰り返し４４の領域を示している。表１は、図２に示す織方図１３のステッチの表記法を示している。 
【００２０】
【表１】
2011517473.tif 000003
【００２１】
数字の０、１、２、は、畝３２間のスペース４５、または一連の畝３２に関連する糸の位置を表している。内畝（ｉｎｔｅｒｗａｌｅ）スペース「０」（４５）は、繰り返し４４の領域の右手側の畝３２と、繰り返し４４の領域のすぐ右側の隣接する畝３２との間の、繰り返し４４の領域の右手側のスペースまたは位置を表す。内畝スペース「２」（４７）は、繰り返し４４の領域の左手側の畝３２と、繰り返し４４の領域のすぐ左側の隣接する畝３２との間の、繰り返し４４の領域の左手側のスペースまたは位置を表す。内畝スペース「１」（４６）は、繰り返し４４の領域内の２つの隣接する畝３２の間の「０」（４５）と「２」（４７）の、スペース間または位置間の、領域または位置を表す。言い換えれば、このステッチ表記は、織布１１を編む針の周囲で、ガイドバーおよび小穴が前後に移動するやり方を表す。 
【００２２】
表糸４０（第１のガイドバー上）は、１−０／１−２の繰り返しパターンで編むことができる。すなわち、表糸４０は「１」の位置（４６）から開始し、「０」の位置に移動（４５）して、ループ３０を形成した後、「１」の位置（４６）に戻り、その後「２」の位置（４７）に移動する。「２」の位置（４７）より、表糸４０はその後別のループ３０を形成後、「１」の位置（４６）に戻ることができる。このパターンは、織布１１の長さ３３に沿って、次の段３４に繰り返すことができる。裏糸４１（第２のガイドバー上）は、０―１／２−１の繰り返しパターンで編むことができる。すなわち、裏糸４１は、「０」の位置（４５）から開始し、「１」の位置（４６）に全ループ３０を形成することなく針の周囲に移動し、全ループ３０を形成することなく針の周囲の「２」の位置に移動（４７）した後、「１」の位置（４６）に戻る。「１」の位置（４６）より、裏糸４１はその後、「０」の位置（４５）に移動することができる。裏糸４１は、このパターンを、織布１１の長さ３３に沿って、次の段３４に繰り返すことができる。
【００２３】
伸張耐性内部糸２０（第３のガイドバー上）は、の１−１／１−１／１−１／１−１／１−１／０−０の繰り返しパターンで編むことができる。このパターンでは、伸張耐性糸２０は、５つの段３４に対する「１」の位置（４６）に沿った畝３２との間に配置することができる。６番目の段４８では、伸張耐性糸２０は、「０」の位置（４５）に揺らすことができ、表糸４０によって形成されるループ３０を回避する。このように、内部伸張耐性糸２０は、６番目の段４８中のそれぞれ４０及び４１の表糸及び裏糸について、ニット構造３１の位置に保持することができる。このような配置技術は、メッシュの開口部または孔１２のサイズの崩壊を避けるために利用することができ、かつメッシュ構造の全体性を維持する。 
【００２４】
本発明のいくつかの態様において、織布構造に内包されている伸張耐性糸２０は、方向における伸張、特に、畝様の方向４９、すなわち織布１０の長さ３３に沿った伸張を減らすことができる。このような伸張耐性糸２０及び編み技術を含む複数の態様は、織布１０における、または、このような織布１０を含む装置の、伸張度の変化を達成するために利用することができる。
【００２５】
いくつかの態様において、伸張耐性糸２０は、様々な材料および／またはサイズを含むことができる。例えば、いくつかの態様において、伸張耐性糸２０は、単一のモノフィラメント糸を含むことができる。特定の態様において、モノフィラメントは、ポリプロピレン、ポリエステル、その他の伸張耐性糸２０のような様々な繊維を含むことができる。ポリプロピレン繊維は、例えば、良好な弾力性と優れた弾性回復特性を有している。特定の態様において、伸張耐性モノフィラメント糸２０は、好ましくは織布１０に含まれる他の糸よりも大きい。特定の態様において、モノフィラメント糸は、例えば、２ミル〜１２ミルの範囲の直径を有しても良い。「ミル」とは、織布モノフィラメント糸の直径を記述するために使用される、１インチの１／１０００と同等の長さの単位として定義される。２ミル糸は、約５０デニールに相当するサイズを有することができ、６ミルの糸は約１５０デニールに相当するサイズを有することができる。このようなモノフィラメント糸は、様々な基礎糸や基礎構造を含むメッシュ織布１１に使用することができる。例えば、約２ミル（またはそれ以上、伸張耐性ポリプロピレン糸２０が基礎糸よりも大きい場合）のポリプロピレン糸の基礎構造を含む、メッシュ織布１１内に配置されている２ミル〜１２ミルのポリプロピレンは、効果的な伸張耐性構造を提供することができる。
【００２６】
モノフィラメント伸張耐性糸２０がメッシュ織布ニット構造３１内に配置されている態様においては、織布１１は５ポンドの引張力で約３０％の伸張を有することができる。本発明のいくつかの形態において、２つのポリプロピレンフィラメント糸などの、２つのモノフィラメント糸は、第３のガイドバー内の一つ飛ばしの小穴にスレッド（すなわち、配置される糸を含む前記小穴内に）することができる。この方法では、２倍量の伸張耐性糸２０は、織布１０内の一つ飛ばしの畝３２の間に挿入することができる。２倍量の内部モノフィラメント糸２０を有するメッシュニット構造３１の特定の態様では、織布１１は５ポンドの引張力で約１７％またはそれ以下、またはその半分の引張力で９％と同等かそれ以下の伸張を有することができる。 
【００２７】
本発明は、伸張耐性織布１０および／または伸張耐性織布１０を含む装置の、別の態様を含むことができる。例えば、本発明のいくつかの態様は、メッシュ構造以外の基礎構造を有する織布１０を含むことができる。このような態様において、例えば、ジャージーニット織布、リブニット織布、トリコットニット織布、または他のニット特性を有する織布において、伸張耐性糸２０は、織布の伸張能力を低下させるために、織布１０に内包することができる。このようないくつかの態様において、望ましくない伸張または伸縮は、最小限に抑えることができ、かつ織布のニット構造は、織布１０が畝様の方向４９に引っ張られても維持される。この方法では、織布１０の元のサイズ、形状、およびパフォーマンス特性を保存することができ、これにより織布１０の耐用年数を延長する。本発明のいくつかの態様は、ポリプロピレン以外の伸張耐性糸２０を含むことができる。例えば、伸張耐性糸２０は、織布構造に編まれている基本糸よりも低い伸張能力を有する、任意の糸や材料であることができる。 
【００２８】
織布構造に導入された伸張耐性糸２０の長さは、伸張耐性織布１０の伸張特性に影響を与えることができる。すなわち、織布１０中の伸張耐性糸２０が短ければ、織布１０はより低い伸張を受けることができる。逆に、織布１０中の伸張耐性糸２０が長ければ、織布１０はより伸張を受けることができる。したがって、伸張耐性織布１０の一部の態様は、織布１０に対して、それ以下またはそれ以上の伸張をそれぞれできるようにするため、短いかまたは長い伸張耐性糸２０を含めることができる。 
【００２９】
また、伸張耐性糸２０の長さは、メッシュの開口部または孔１２の全体性（サイズと形状）に影響を与える可能性がある。例えば、伸張耐性糸２０がメッシュ織布１１より短いと、織布１１はあまり伸張することができず、織布１１の長手方向への引張によるメッシュ孔１２の変形の可能性を低くする。従って、伸張耐性織布１０の一部の態様は、織布の伸張におけるメッシュ１２孔の変形に対してより多くの保護を提供するように、短い伸張耐性糸２０を含むことができる。また、カスタムカット材中に配置された糸４３の工学的な配置は、材料を含む装置の選択された領域内での、安定性および／または伸張の減少を、戦略的に添加する。
【００３０】
いくつかの態様において、伸張耐性糸２０は、畝３２を交差する、異なる間隔で配置することができる。図２に示す織方図１３に例示される態様において、伸張耐性糸２０は一つ飛ばしの畝３２との間に配置される。他の態様において、伸張耐性糸２０は、織布１０における大きな伸張耐性を提供するために、各畝３２の間に配置することができる。さらに他の態様において、伸張耐性糸２０は、織布１０が低い伸張耐性を有することができるように、低頻度、例えば、３番目毎の畝３２に配置することができる。
【００３１】
いくつかの態様において、織布１０は、織布１０の伸張耐性を強化するために、図１に示されている以外の網目模様を含むことができる。例えば、織布１０は、織布の伸張抵抗性の向上を提供し得る、より緊密な、すなわち、より小さな孔１２を有する網目模様を含むことができる。いくつかの態様において、織布１０は、図２における織方図１３に示すものとは異なるステッチ構造を含むことができる。特定の態様において、例えば、より密接な（またはより高密度の）ニットステッチの構造は、織布の伸張耐性の向上を提供し得る。より密接な網目模様および／またはより密接なニット構造を有するこのような態様において、織布１０は、織布の伸張に抵抗するために織布構造に組み込まれた伸張耐性糸２０を含むことができる。
【００３２】
本明細書中に記載されているように、本発明のいくつかの態様は、伸張耐性織布１０を含む装置を含むことができる。このような装置の例示的な態様は、織布１１に内包された伸張耐性糸２０を有する、メッシュ織布１１を含む医療機器（図示せず）である。特定の態様において、このような医療機器は、安定性および／または体内の構造体への支持を提供するのに順応した、埋め込み型伸張耐性織布１１を含むことができる。例えば、このような埋め込み型伸張抵抗装置は、特定の外科手術の用途において、様々な臓器、生体組織、筋膜、筋肉および／または他の解剖学的構造を、持ち上げ、固定し、および／または支持するのに利用することができる。伸張耐性織布１０を含む装置の特定の態様は、一般的な手術と同様に、美容整形手術、心臓血管外科手術、消化管手術、および／または他の手術でも有用である。
【００３３】
装置のいくつかの態様において、伸張耐性織布１０は、選択された隣接する畝３２中のニットループ３０の間の織布１０のニット構造に配置された、伸張耐性糸２０を含むことができる。伸張耐性織布１０は、所定の段３４内の１つの隣接する畝３２中のループ３０の周囲に、部分的に配置することができる。このような装置において、織布１０は、織布１０の長さ３３に沿った畝様方向４９における伸張に対して耐性であるようにされている。特定の態様において、装置の織布はメッシュ織布１１とすることができる。特定の態様において、装置内の伸張耐性糸２０は、装置織布内の他の糸の個々の直径よりも大きい直径を有することができる。特定の態様において、装置は、例えば埋め込み型臓器支持装置などの、埋め込み型医療機器をさらに含むことができる。
【００３４】
本発明は、伸張耐性織布１０、及び伸張耐性織布１０を含む装置の製造方法の態様を提供することができる。本発明は、伸張耐性織布１０、及び伸張耐性織布１０を含む装置を使用する方法の態様を提供することができる。伸張耐性織布１０、及び伸張耐性織布１０を含む装置を作成及び／または使用する方法は、伸張耐性織布１０の様々な部品と、本明細書中に記載される伸張耐性織布１０を含む装置を組み合わせることを含むことができる。
【００３５】
方法の一部の態様において、伸張耐性織布１０は、織布１０の長さ３３に沿った畝様方向４９の伸張に対して耐性であるように作成することができる。このような構造は、選択した隣接する畝３２中のニットループ３０の間に伸張耐性糸２０を配置すること、及び所定の段３４における該隣接する畝３２のうちの１つの畝中のループ３０の周囲に、部分的に伸張耐性糸２０を配置することを含むことができる。特定の態様において、このような方法で作成した伸張耐性織布１０は、メッシュ織布１１を含むことができる。
【００３６】
特定の態様において、伸張耐性織布１０の作成方法は、ラッセル編機上で、第１のガイドバーから表糸４０を、各畝３２におけるループ３０に編むことをさらに含むことができる。裏糸４１は、第２のガイドバーから、織布１０の各方向３４中の表糸ループ３０の周囲に、編むことができる。伸張耐性糸２０は、部分的に、所定の段３４における隣接する畝３２のうちの１つの畝中の表糸４０のループ３０の周囲に、第３のガイドバーから配置することができる。特定の態様において、伸張耐性糸２０は、織布１０の長さ３３に沿って、６番目毎の段４８に配置することができる。方法の特定の態様において、伸張耐性糸２０はモノフィラメント糸を含むことができる。モノフィラメント糸は、例えば、ポリプロピレン、ポリエステル、その他の伸張耐性糸２０を含むことができる。
【００３７】
本発明による伸張耐性織布１０、及び伸張耐性織布１０を含む装置のいくつかの態様は、従来の織布及び装置を超える利点を提供することができる。例えば、本発明のいくつかの態様は、改善された伸張耐性を有するメッシュ織布１１を提供することができる。低伸張特性を有するこのような織布１０、１１は、例えば、仕込み（ｌａｙｉｎｇ−ｉｎ）技術を利用することにより、簡単、かつ比較的安価に作成することができる。もう一つの利点は、伸張耐性メッシュ織布１１、装置、および／または方法の態様は、メッシュ織布１１の開口部または孔１２の全体性を維持することができる、伸張耐性織布１０を含むことができる。
【００３８】
本発明の伸張耐性織布１０、及び伸張耐性織布１０を含む装置、並びに伸張耐性織布１０、及び伸張耐性織布１０を含む装置を作成及び／または使用する方法の特徴は、本発明の態様を単独で、または組み合わせて達成することができる。特定の態様が記載されているが、これらの態様は単に本発明の原理の例示されていることを認識すべきである。当業者は、伸張耐性織布１０、装置、および本発明の方法は、他の方法および態様において作成かつ実行することができることを理解する。従って、本明細書の記載は、本発明を制限するものとして、また他の態様が本発明の範囲内に含まれると解釈してはならない。
【図１】
2011517473.tif 000004
【図２】
2011517473.tif 000005
【手続補正書】
【提出日】平成22年11月11日(2010.11.11)
【手続補正１】
【補正対象書類名】特許請求の範囲
【補正対象項目名】全文
【補正方法】変更
【補正の内容】
【特許請求の範囲】
【請求項１】
織布（１０）のニット構造内の、選択された隣接する畝（３２）のニットループ（３０）間に、及び部分的に、所定の段（３４）における前記隣接する畝（３２）のうちの１つの畝中のループ（３０）の周囲に配置された伸張耐性糸（２０）を含み、織布（１０）の長さに沿った畝様方向の伸張に対して耐性であるようにされている伸張耐性織布（１０）であって、前記織布（１０）は、
前記伸張耐性糸（２０）は各３番目の畝（３２）の間に配置され、かつ
前記所定の段（３４）は織布の長さに沿った各６番目の段（３４）を含む
ことによって特徴付けられる、伸張耐性織布（１０）。
【請求項２】
前記織布（１０）はメッシュ織布（１１）をさらに含む、請求項１に記載の織布（１０）。 
【請求項３】
前記メッシュ織布（１１）内の細孔（１２）のサイズ及び形状は、織布（１０）が畝様の方向に引っ張られる場合に維持される、請求項２に記載の織布（１０）。
【請求項４】
前記メッシュ織布（１１）は、ラッセルニットメッシュ織布を含む、請求項２に記載の織布（１０）。
【請求項５】
前記各畝（３２）は、織布構造の各段（３４）において、ループ（３０）に編まれた表糸（４０）と、表糸のループ（３０）の周囲に編まれた裏糸（４１）とを含む、請求項４に記載の織布（１０）。
【請求項６】
前記伸張耐性糸（２０）は、部分的に、所定の段（３４）における前記隣接する畝（３２）のうちの１つの表糸（４０）のループ（３０）の周囲から、織布構造に配置されている、請求項５に記載の織布（１０）。
【請求項７】
前記伸張耐性糸（２０）は各畝（３２）の間に配置される、請求項１に記載の織布（１０）。
【請求項８】
前記伸張耐性糸（２０）は、織布（１０）内の他の糸の個々の直径よりも大きな直径を有する、請求項１に記載の織布（１０）。
【請求項９】
前記伸張耐性糸（２０）はモノフィラメント糸を含む、請求項１に記載の織布（１０）。
【請求項１０】
前記モノフィラメント糸は、ポリプロピレンまたはポリエステルを含む、請求項９に記載の織布（１０）。
【請求項１１】
前記モノフィラメント糸は、２ミル〜１２ミルの範囲内の直径を有する、請求項９に記載の織布（１０）。
【請求項１２】
前記メッシュ織布（１１）は、２ミル〜１２ミルの直径を有する単一のモノフィラメント糸を含み、かつ前記メッシュ織布（１１）は、５ポンドの引張力に対して、約３０％の伸張率を有する、請求項２に記載の織布（１０）。
【請求項１３】
前記メッシュ織布（１１）は、それぞれが２ミル〜１２ミルの直径を有する２つのモノフィラメント糸を含み、かつ前記メッシュ織布（１１）は、５ポンドの引張力に対して約１７％の伸張率を有する、請求項２に記載の織布（１０）。
【請求項１４】
織布（１０）のニット構造内の、選択された隣接する畝（３２）のニットループ（３０）の間に、及び部分的に、所定の段（３４）における前記隣接する畝（３２）のうちの１つの畝中のループ（３０）の周囲に配置された伸張耐性糸（２０）を含み、織布の長さに沿った畝様方向の伸張に対して耐性であるようにされている、伸張耐性織布（１０）を含む装置であって、前記織布（１０）は、
前記伸張耐性糸（２０）は３番目毎の畝（３２）の間に配置され、かつ
前記所定の段（３４）は織布の長さに沿った６番目毎の段（３４）を含む
ことによって特徴付けられる、装置。
【請求項１５】
前記織布（１０）はメッシュ織布（１１）をさらに含む、請求項１４の装置。
【請求項１６】
前記伸張耐性糸（２０）は、前記織布（１０）内の他の糸の個々の直径よりも大きい直径を有する、請求項１４の装置。
【請求項１７】
前記装置は埋め込み型医療機器をさらに含む、請求項１４の装置。
【請求項１８】
前記埋め込み型医療機器は臓器支持装置を含む、請求項１７に記載の装置。
【請求項１９】
３番目毎の畝（３２）間のニットループ（３０）間に伸張耐性糸（２０）を配置することと、
部分的に織布（１０）の長さに沿った、６番目毎の段（３４）中のループ（３０）の周囲に伸張耐性糸（２０）を配置すること
によって、織布（１０）の長さに沿って畝様方向の伸張に対して耐性であるようにされている伸張耐性織布（１０）を作成すること
を含む、方法。
【請求項２０】
前記伸張耐性織布（１０）を作成することは、メッシュ織布（１１）を作成することをさらに含む、請求項１９の方法。
【請求項２１】
前記伸張耐性織布（１０）を作成することは、
ラッセル編機上で、第１のガイドバーから表糸（４０）を、各畝（３２）におけるループ（３０）に編むことと、
第２のガイドバーから裏糸（４１）を、前記織布（１０）の各畝（３４）中の表糸ループ（３０）の周囲に編むことと、および
第３のガイドバーから伸張耐性糸（２０）を、部分的に、所定の段（３４）における前記隣接する畝（３２）のうちの１つの畝中の表糸のループ（３０）の周囲に配置すること
をさらに含む、請求項２０に記載の方法。
【請求項２２】
前記伸張耐性糸（２０）はモノフィラメント糸を含む、請求項１９に記載の方法。
【国際調査報告】
2011517473.tif 000006
2011517473.tif 000007
2011517473.tif 000008